(57)【要約】  【課題】  【解決手段】直接の視聴者と放送の視聴者との間の放送のイベントにおいて物理的なディスプレイのコンテンツを変化させる方法において、このディスプレイは、直接の視聴者の表示画像と放送の視聴者の表示画像を具えており、このディスプレイは、時間により交互に表示される１以上のデータコンテンツのインスタンスを表示し、放送の視聴者用の表示画像は、前記データコンテンツのインスタンスのうちの一つを表示するように同期化される。【選択図】図１
2009534977.tif 000002
【特許請求の範囲】
【請求項１】
直接の視聴者と放送の視聴者との間の放送のイベントで物理的なディスプレイのコンテンツを変更する方法において、前記ディスプレイのコンテンツは、直接の視聴者の表示画像と放送の視聴者の表示画像を含み、前記物理的なディスプレイは、時間により交互に表示される２以上のデータコンテンツのインスタンスを表示し、放送の視聴者用の画像が、前記データコンテンツのインスタンスの一つを表示するように同期されることを特徴とする方法。
【請求項２】
請求項１に記載の方法において、前記表示画像が、放送により同期されることを特徴とする方法。
【請求項３】
請求項１に記載の方法において、前記表示画像が、視聴者のウェアラブルデバイスにより同期されることを特徴とする方法。
【請求項４】
請求項４に記載の方法において、前記視聴者のウェアラブルデバイスが眼鏡を具えていることを特徴とする方法。
【請求項５】
請求項１乃至４のいずれか１項に記載の方法であって、放送の視聴者用の１以上の表示画像を具えることを特徴とする方法。
【請求項６】
請求項１又は２に記載の方法において、放送の視聴者用の表示画像に対応するデータコンテンツのインスタンスが、中間的なスペースを具えていることを特徴とする方法。
【請求項７】
請求項６に記載の方法がさらに、前記中間的なスペースに前記放送の視聴者用の代替的なデータコンテンツのインスタンスを重ねるステップを具えていることを特徴とする方法。
【請求項８】
請求項７に記載の方法において、様々な代替的なデータコンテンツのインスタンスが
、様々な放送の視聴者のために重ねられることを特徴とする方法。
【請求項９】
請求項６乃至８のいずれか１項に記載の方法において、前記中間的なスペースが、ブルースクリーンを具えていることを特徴とする方法。
【請求項１０】
請求項１乃至９のいずれか１項に記載の方法において、前記ディスプレイは、放送のためにカメラにより記録され、放送の視聴者用の表示画像に対応するデータコンテンツのインスタンスが、１％以下の前記カメラのタイムフレームの間表示されることを特徴とする方法。
【請求項１１】
請求項１０に記載の方法において、前記カメラのタイムフレームが２０ミリ秒であり、放送の視聴者用の表示画像に対応するデータコンテンツのインスタンスが０．２ミリ秒間表示され、イベントの視聴者用の表示画像に対応するデータコンテンツのインスタンスが１９．８ミリ秒間表示されることを特徴とする方法。
【請求項１２】
請求項１０に記載の方法において、放送の視聴者用の表示画像に対応する前記データコンテンツのインスタンスが、０．１％以下の前記カメラのタイムフレームの間表示されることを特徴とする方法。
【請求項１３】
請求項１乃至１２のいずれか１項に記載の方法を実施するように構成されたディスプレイ、放送用カメラ、放送システム、画像ディスプレイ装置、又は視聴者のウェアラブルデバイス。
【発明の詳細な説明】
【技術分野】
【０００１】
本発明は、視聴者の間のディスプレイのコンテンツを変化させる方法と、この方法を実施する手段に関する。
【背景技術】
【０００２】
ディスプレイ又は掲示板は、一般に情報を視聴者に伝えるのに利用されており、これらを利用することは、このようなディスプレイが、商品やサービスを広告し販売を促進するために利用される広告産業において特に重要である。しばしば、様々な視聴者に伝わる情報をディスプレイによって変更することには明らかな利点がある。
【０００３】
視聴者の間のディスプレイのコンテンツの変更を可能にする方法が開発されている。このような方法はＧＢ２４０３３６７に記載されており、これは参照によりここに組み込まれている。それに記載されている方法は、ＬＣＤなどのディスプレイ装置や、パララックスバリアなどのパララックス生成装置を具える複数のビューディスプレイの使用を含んでいる。参照によりここに組み込まれているＧＢ２４０５５４５には、画像素子を有する画像ディスプレイ装置やカラーフィルタ配列を具える視差光（parallax optic）を具える立体視ディスプレイ又はデュアルビューディスプレイなどの方向性ディスプレイの使用を含む方法が記載されている。参照によりここに組み込まれているＷＯ２００５／１１２４７６には、視聴者が、単一の映像ディスプレイに同時に表示されたいくつかの映像ストリームを見ることができる方法が記載されており、視聴者は、表示されている映像ストリームに同期するシャッタービューグラスによってのみ見ることができる。しかしながら、これらの方法は、物理的なディスプレイ自体の直接の視聴者の間の物理的なディスプレイのコンテンツを変化させることに限定される。
【０００４】
ディスプレイはしばしば、テレビ放送に現われ、放送を介してディスプレイを見る視聴者の間のディスプレイのコンテンツを変更する方法が開発されている。参照によりここに組み込まれているＵＳ２００２／０１４４２６３には、広告チャネルで対象とする広告をグループ化する方法及び装置が記されている。参照によりここに組み込まれているＧＢ２３０５０５１には、ビデオ画像中の電子的な広告掲示板を自動的に交換する装置が記載されており、参照によりここに組み込まれているＧＢ２３０５０４９には、テレビ放送システムで使用される電子的な広告掲示板を交換するシステムが記載されている。しかしながら、これらの方法は、放送の視聴者の間の放送用ディスプレイのコンテンツを変更することに制限される。
【発明の開示】
【課題を解決するための手段】
【０００５】
本発明は、請求項に詳述されている。１以上の時間により交互に表示されるデータコンテンツのインスタンスにより、ディスプレイのコンテンツは、第１の視聴者と第２の視聴者で変化し、ディスプレイは、放送イベントで物理的なディスプレイを具えており、視聴者には、物理的なディスプレイの前の近距離の観察者である視聴者（直接の視聴者）や、イベントのテレビ放送を見ている視聴者（放送の視聴者）が含まれる。第１の視聴者と第２の視聴者との間のディスプレイのコンテンツを変更する能力は、広告の分野で特別な利点を有する。例えば、広告は商業的に有益な場所に限定でき、広告スペースを提供する会社は、同じ広告スペースを１以上の会社に売ることによって広告収入を最大化でき、広告は特定の視聴者用にカスタマイズできる。特に、広告のアピールが特定の国の視聴者用にカスタマイズ可能な言語や、広告の特定のカテゴリー、例えばタバコ製品用の広告などは、特定の地理的な範囲に限定できる。
【発明を実施するための最良の形態】
【０００６】
本発明の実施例は、図を参照することにより説明される。
【０００７】
以下の説明では、第１の視聴者と第２の視聴者との間のディスプレイのコンテンツを変更する方法と、この方法を実行する手段が記載されている。説明の目的のために、本発明を完全に理解するために、多くの特定の詳細が説明されている。当業者であれば、本発明はこれらの特定の詳細なしで実施できることは明らかであろう。
【０００８】
本発明の第１の実施例では、ディスプレイが、放送のイベントにおける物理的な電子的な掲示板を具えている。掲示板は、複数の発光ダイオード（ＬＥＤ）を具えていることが好適である。掲示板の視聴者には、放送イベントに実際に参加している視聴者や物理的な掲示板の前の近距離の観察者（「直接の視聴者」と称する）と、イベントの放送を見ている視聴者やテレビの視聴者（「放送の視聴者」と称する）が含まれる。
【０００９】
ディスプレイの画像又はメッセージは、データコンテンツのインスタンスの形式で掲示板に現われる。ディスプレイの画像は広告を含んでいることが好適である。ディスプレイの画像それぞれは、単一の静的な画像を含んでいる。例えば、ディスプレイの映像は、単一の絵、イラスト又は写真の形式の広告を具えてもよい。この場合、データコンテンツのインスタンスの内容は同一である。代替的に、各表示画像は、アニメの動的な画像でもよい。例えば、表示画像は、フィルム又はアニメの形式の広告を含んでもよい。この場合、データコンテンツのインスタンスの内容は、連続的に見たときにアニメの動的な画像を視聴者に提供するように変化する。
【００１０】
第１の表示画像が、直接の視聴者のために表示され、第２の表示画像が放送の視聴者のために表示される。放送の視聴者の表示画像用のデータコンテンツインスタンスは、直接の視聴者用の表示画像のためのデータコンテンツのインスタンスによって時間により交互に表示される。
【００１１】
本発明の第１の実施例では、掲示板は、必要とされる１秒当たりのフレーム数を提供するのに十分に高いフレームレートで動作するカメラを用いて、放送のイベントの画像全体の一部として放送するために記録される。カメラのシャッタは、放送の視聴者用の表示画像に対応するデータコンテンツのインスタンスと同期する。カメラのシャッタの速度は、カメラのシャッタが放送の視聴者用の画像の表示期間内に含まれる期間の間、開いているように設定される。
【００１２】
直接の視聴者用の第１のディスプレイの画像に対応するデータコンテンツのインスタンスは、放送の視聴者用の第２のディスプレイの画像に対応するデータコンテンツのインスタンスよりも長い期間を有することが好適である。放送の視聴者のディスプレイ用のデータコンテンツのインスタンスは、人間の目によって記録できない期間表示される。したがって、放送の視聴者のためのディスプレイのデータコンテンツのインスタンスは、直接の視聴者には見られない。時間系列内の第１の画像と第２の画像双方を示すディスプレイの直接の視聴者の知覚を評価する実験が行われた。（４０ミリ秒の反復レートに基づいて）第２の画像の表示時間が第１の画像の表示時間の１０％以下に落ちると、第２の画像を認識することは容易ではなくなったことに留意すべきである。第２の画像の表示時間が第１の画像の表示時間の１％以下に落ちると、第２の画像を認識するのが困難になった。第２の画像の表示時間が第１の画像の表示時間の０．１％以下に落ちると、第２の画像を認識できなくなる。したがって、放送の視聴者に表示するデータコンテンツのインスタンスは、カメラのフレーム時間の１０％又はそれよりも短い期間に表示することが好適であり、カメラの時間フレームの１％またはそれ以下であることがより好適であり、さらに、０．１％又はそれ以下であることが好適である。
【００１３】
各表示画像の１つの表示内容のインスタンスは、ビデオカメラによって録画された各フレーム内に表示される。したがって、放送の視聴者用の第１の表示画像に対応するデータコンテンツのインスタンスは、イベントを記録しているガメラのフレームレートに合致する周波数で表示すべきである。しかしながら、前述したように、各フレーム内のデータコンテンツのインスタンスの期間は変更可能である。
【００１４】
本発明の第１の実施例の第１の例では、１つの表示画像が直接の視聴者のために表示され、１つの表示画像が放送の視聴者のために表示される。このディスプレイは、１秒当たり５０フレームの録画率（５０Ｈｚ）でカメラによって記録される。したがって、１つのフレームは、２０ミリ秒毎にカメラによって記録される。直接の視聴者用の表示画像に対応するデータコンテンツのインスタンスは、放送の視聴者用の表示画像に対応するデータコンテンツのインスタンスと時間により交互に表示される。直接の視聴者用の表示画像に対応するデータコンテンツのインスタンスは、１９．８ミリ秒間表示され、放送の視聴者用のデータコンテンツのインスタンスは、０．２ミリ秒間表示される。
【００１５】
カメラは、放送の視聴者用の表示画像に対応するデータコンテンツのインスタンスが表示される時間と同期する。本実施例では、放送の視聴者用のデータコンテンツのインスタンスが表示されているときにのみカメラのシャッターが開くように、カメラが同期される。この方法では、放送の視聴者の表示画像は、放送によって同期される。
【００１６】
次に、カメラからの画像は、外部のテレビフィード信号に送信され、放送の視聴者に放送される。
【００１７】
本発明の第１の実施例の第２の例を、本発明の方法の実施例の図である図１を参照して説明する。この例では、１つの表示画像が、直接の視聴者のための掲示板１００に表示され、５つの異なる表示画像が放送の視聴者のために表示される。
【００１８】
５つの放送の視聴者用の表示画像それぞれのデータコンテンツのインスタンスは、直接の視調者の１つの表示画像用のデータコンテンツのインスタンスによって、時間により交互に表示される。このディスプレイは、１秒当たり１２５のフレームの録画率（１２５Ｈｚ）でカメラによって記録される。したがって、１つのフレームは、カメラによって８ミリ秒毎に記録される。１人の直接の視聴者の表示画像に対応するデータコンテンツのインスタンスは、全体で３９．５ミリ秒間表示され、５人の放送の視聴者の表示画像それぞれのデータコンテンツのインスタンスがそれぞれ、１００ミリ秒間表示される。放送の視聴者の表示画像に対応するデータコンテンツのインスタンスは、直接の視聴者の表示画像用のデータコンテンツのインスタンスの間でほぼ均等に間隔が設けられている。これは、放送のイベントで直接の視聴者によって認識される表示画像の一貫性（consistency）を均等にする。
【００１９】
表１は、第１の実施例の第２の例におけるデータコンテンツのインスタンスの時間的な交互の表示を示しており、ここでは、「第１の表示画像」は直接の視聴者用であり、第２、第３、第４、第５及び第６の表示画像は、放送の視聴者用である。
【００２０】
表１  データコンテンツのインスタンスの時間による交互の表示
2009534977.tif 000003
【００２１】
上記の時間的な割り当ては、直接の視聴者のための最も滑らかな画像を維持するために選択される一方、画像は同じ機能を提供しつつ、上記の表に示すように異なるように割り当てられる。
【００２２】
図１を参照すると、ディスプレイ１０２の制御システムの信号がビデオカメラ１０４を作動させ、総ての放送の視聴者のための表示画像に対応するデータコンテンツのインスタンスを記録する。画像は、ディスプレイの制御システムの信号により制御され、且つ各表示画像に対応するデータコンテンツのインスタンスを通常のフレームレートで５つの外向きのビデオフィードに送るデマルチプレクサ（Ｄｅ−Ｍｕｌｔｉｐｌｅｘｅｒ）１０６に送られる。ビデオフィードは、異なる放送の視聴者によって表示される。例えば、異なるビデオフィードが異なる国に送られ、これらの国の放送の視聴者が異なる表示画像を見ることができる。
【００２３】
本実施例は、複数のメッセージチャネルが可能であり、簡単な処理を有し、これは、要求が「live」の場合に重要であり、自動的に掲示板を移動する対象物をコピーする。
【００２４】
放送の視聴者の表示画像の放送の同期の代わりとして、表示画像は、視聴者のウェアラブルデバイスで同期させてもよい。このデバイスは眼鏡を具えてもよく、ディスプレイと同期して、各視聴者の表示画像に対応するデータコンテンツのインスタンスを表示する。
【００２５】
代替的に、個別のビデオカメラは利用でき、それぞれが放送の視聴者用の表示画像のうちの一つと同期する。この実施例では、各カメラが個別のフィードを供給し、デマルチプレクサを必要としない。
【００２６】
本発明の第１の実施例の第３の例では、放送の視聴者の表示画像に対応するデータコンテンツのインスタンスは、「中間的なスペース」を具えている。この中間的なスペースは、ブルースクリーンを具えていることが好適である。ビデオカメラは、中間的なスペースが表示される時間に同期する。次に、ソフトウェアは、ディスプレイの既知の３Ｄの空間座標や、カメラのラチチュード、エレベーション及びズームに基づいて、中間的なスペースの代替的な表示画像のデータコンテンツのインスタンスを重ねるために使用される。
【００２７】
第３の例では、画像処理ソフトウェアを用いて、イベントサイトの静的な画像とイベントの動的な画像を比較してもよく、画像が重ねられる領域が静的な画像と動的な画像双方で同じである表示画像のみを重ねてもよい。これにより、表示画像がディスプレイスクリーンの前面を移動する対象物に重なるのを阻止する。
【００２８】
異なる表示画像は、様々な放送の視聴者のための中間的なスペースに重ねてもよい。１以上の表示画像が中間的なスペースに重ねられた位置であっても、中間的なスペースのデータコンテンツのインスタンスのみが、イベントの視聴者の表示画像のデータコンテンツのインスタンスと交互に表示される。したがって、たった２つのデータコンテンツのインスタンスが、各時間フレーム内で相互に表示される必要があり、したがって、カメラが必要とする速度は重大ではない。
【００２９】
前述した実施例は、例示により説明されており、限定することを意図するものではない。当業者であれば、前述した操作を大きく変更することなく、本発明の方法を僅かに修正できることは明らかであろう。このディスプレイは、電子的なディスプレイ以外の物理的なディスプレイを具えてもよく、ＬＥＤディスプレイ以外の電子的なディスプレイを具えてもよい。直接の視聴者のために１以上の表示画像を表示してもよく、放送の視聴者のために１以上の画像を表示してもよい。表示画像は、任意の画像を具えてもよく、広告に限定されない。他の録画率の使用を想定できる。データコンテンツのインスタンスの期間は、特定の例で示した期間以外でもよい。おおよそ各表示画像の１の表示内容のインスタンスを各ビデオカメラのフレーム内に表示してもよい。表示画像に対応するデータコンテンツのインスタンスは、様々な方法で各ビデオカメラのフレーム内で互いに対して構成してもよい。カメラを特定のデータコンテンツのインスタンスに同期させる他の方法を想定できる。ブルースクリーン以外の中間的なスペースを用いてもよい。
【００３０】
本発明はさらに、本発明の方法を実施する手段を具えてもよい。この手段は、ディスプレイ、放送用カメラ、放送システム、画像ディスプレイ装置、又は本発明の方法を実施するように構成された視聴者のウェアラブルデバイスを具えてもよい。様々な構成要素を選択し、または製造する方法は、当業者であれば明らかであろう。
【００３１】
前述した実施例と異なる別の態様では、視聴者の間のディスプレイの表示内容を変更する方法が提供されており、ディスプレイは、放送のイベントにおける物理的なディスプレイであり、視聴者には放送の視聴者が含まれており、複数の視聴者それぞれにより受信されるディスプレイの画像は、１以上の様々なデータコンテンツのインスタンスを示している。この態様では、放送の画像における前記ディスプレイの表示位置は同じであり、データコンテンツのインスタンスは、この表示位置で重ねられる。この表示位置は、ディスプレイの空間座標により、又はディスプレイ上の位置トランスミッタ手段により特定してもよい。
【００３２】
前述した実施例と異なる別の態様では、視聴者の間のディスプレイの表示内容を変更する方法が提供されており、複数の視聴者それぞれにより受信される表示画像は、１以上の異なるデータコンテンツのインスタンスを示しており、ディスプレイは直接的に見ることができる。このディスプレイは、繰り返し時間により相互に表示される１以上のデータコンテンツのインスタンスを表示してもよく、視聴者のウェアラブルデバイスは、ディスプレイと同期して、対応するデータコンテンツのインスタンスを表示してもよい。視聴者のウェアラブルデバイスは、眼鏡を具えていることが好適である。
【図面の簡単な説明】
【００３３】
【図１】図１は、本発明の方法の実施例の図である。
【図１】
2009534977.tif 000004
【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
直接の視聴者と放送の視聴者との間の放送のイベントで物理的なディスプレイのコンテンツを変更する方法において、前記ディスプレイのコンテンツは、直接の視聴者の表示画像と放送の視聴者の表示画像を含み、前記直接の視聴者の表示画像及び前記放送の視聴者の表示画像それぞれが、少なくとも１のデータコンテンツのインスタンスを具えており、前記データコンテンツのインスタンスが、時間により交互に表示されることを特徴とする方法。
【請求項２】
請求項１に記載の方法において、前記放送のイベントがカメラにより記録され、前記カメラが、前記放送の視聴者の表示画像のデータコンテンツのインスタンスを取得するために同期されることを特徴とする方法。
【請求項３】
請求項２に記載の方法において、前記ディスプレイのコンテンツが、２以上の放送の視聴者の表示画像を具えており、前記放送のイベントが、２以上のカメラによって記録され、各カメラが、少なくとも１の前記放送の視聴者の表示画像のデータコンテンツのインスタンスを取得するために同期されることを特徴とする方法。
【請求項４】
請求項２に記載の方法であって、１以上の放送の視聴者の表示画像を具えており、前記カメラが１以上の放送の視聴者の表示画像のデータコンテンツのインスタンスを記録し、放送の視聴者それぞれに対応するデータコンテンツのインスタンスが個別の外部のビデオフィードに送られることを特徴とする方法。
【請求項５】
請求項１乃至４のいずれか１項に記載の方法において、放送の視聴者の表示画像に対応するデータコンテンツのインスタンスが、中間的なスペースを具えていることを特徴とする方法。
【請求項６】
請求項５に記載の方法がさらに、前記中間的なスペースに前記放送の視聴者の代替的なデータコンテンツのインスタンスを重ねるステップを具えていることを特徴とする方法。
【請求項７】
請求項６に記載の方法において、様々な代替的なデータコンテンツのインスタンスが、様々な放送の視聴者のために重ねられることを特徴とする方法。
【請求項８】
請求項５乃至７のいずれか１項に記載の方法において、前記中間的なスペースが、ブルースクリーンを具えていることを特徴とする方法。
【請求項９】
請求項１乃至８のいずれか１項に記載の方法において、前記ディスプレイは、放送のためにカメラにより記録され、放送の視聴者用の表示画像に対応するデータコンテンツのインスタンスが、前記カメラのタイムフレームの１％以下の時間表示されることを特徴とする方法。
【請求項１０】
請求項９に記載の方法において、放送の視聴者用の表示画像に対応する前記データコンテンツのインスタンスが、前記カメラのタイムフレームの０．１％以下の時間表示されることを特徴とする方法。
【請求項１１】
請求項１乃至１０のいずれか１項に記載の方法を実施するように構成されたディスプレイ、放送用カメラ、放送システム、画像ディスプレイ装置、又は視聴者用のウェアラブルデバイス。
【請求項１２】
ディスプレイのコンテンツを表示するように構成された物理的なディスプレイにおいて、
前記ディスプレイのコンテンツが、前記ディスプレイの直接の視聴者が見ることのできる第１の表示画像と、前記ディスプレイの直接の視聴者が見ることのできない第２の表示画像とを具えており、
前記第１の表示画像と前記第２の表示画像それぞれが、少なくとも１のデータコンテンツのインスタンスを具えており、
前記物理的なディスプレイが、前記データコンテンツのインスタンスを時間により交互に表示するように構成されていることを特徴とする物理的なディスプレイ。
【請求項１３】
請求項１２に記載の物理的なディスプレイにおいて、前記第２の表示画像のデータコンテンツのインスタンスが、前記第１の表示画像のデータコンテンツのインスタンスが表示される時間の１０％以下の時間表示されることを特徴とする物理的なディスプレイ。
【請求項１４】
前記第２の表示画像の前記データコンテンツのインスタンスを取得するために同期されたカメラに加えて、請求項１２又は１３に記載の物理的なディスプレイを具えることを特徴とする放送システム。
【請求項１５】
物理的なディスプレイを記録するように構成されたカメラにおいて、
前記物理的なディスプレイが表示内容を具えており、
前記表示内容が、第１の表示画像と第２の表示画像とを具えており、前記第１の表示画像及び前記第２の表示画像がそれぞれ、少なくとも１のデータコンテンツのインスタンスを具えており、当該データコンテンツのインスタンスが時間により交互に表示され、
前記カメラが、前記第２の表示画像に対応する１以上のデータコンテンツのインスタンスを記録するために同期されることを特徴とするカメラ。
【請求項１６】
請求項１５に記載のカメラにおいて、前記カメラがシャッターを具えており、当該シャッターが、前記第２の表示画像に対応するデータコンテンツのインスタンスの期間だけ開くように構成されていることを特徴とするカメラ。
【請求項１７】
物理的なディスプレイの１以上の画像を具えるテレビのフィード信号において、
前記物理的なディスプレイが、直接の視聴者の表示画像と、放送の視聴者の表示画像とを具えており、前記直接の視聴者の表示画像及び前記放送の視聴者の表示画像それぞれが、少なくとも１のデータコンテンツのインスタンスを具えており、
前記データコンテンツのインスタンスが時間により交互に表示され、
前記信号が、前記放送の視聴者の表示画像に対応するデータコンテンツのインスタンスを含む物理的なディスプレイの画像のみを具えるように構成されていることを特徴とするテレビのフィード信号。
【請求項１８】
請求項１７に記載のテレビのフィード信号において、前記画像が、前記放送の視聴者の表示画像に対応する１以上のデータコンテンツのインスタンスを記録するために同期されるカメラによって記録されることを特徴とするテレビのフィード信号。
【請求項１９】
物理的なディスプレイの２以上の直接の視聴者の間の物理的なディスプレイの表示内容を変更する方法において、
前記表示内容が、第１の表示画像と第２の表示画像とを具えており、
各画像が少なくとも１のデータコンテンツのインスタンスを具えており、
前記データコンテンツのインスタンスが時間により相互に表示され、
前記第２の表示画像は、視聴者用のウェアラブルデバイスを装着している直接の視聴者のみが見ることができ、
前記デバイスが、前記第２の表示画像のデータコンテンツのインスタンスに同期することを特徴とする方法。
【請求項２０】
物理的なディスプレイを見るための視聴者用のウェアラブルデバイスにおいて、
前記物理的なディスプレイが表示内容を具えており、
前記表示内容が、第１の表示画像と第２の表示画像とを具えており、
各画像が少なくとも１のデータコンテンツのインスタンスを具えており、
前記データコンテンツのインスタンスが、時間により相互に表示され、
前記視聴者用のウェアラブルデバイスが、前記第２の表示画像に対応するデータコンテンツのインスタンスにより同期され、視聴者が見ることができることを特徴とするウェアラブルデバイス。
【国際調査報告】
2009534977.tif 000005
2009534977.tif 000006
2009534977.tif 000007